(57)【特許請求の範囲】
【請求項１】
上下階にわたって互いに平行に設けられた昇り用第一エスカレータと降り用第二エスカレータとからなるエスカレータ対が、それぞれの上下階に平行に配置されている平行型エスカレータを改修するエスカレータ改修方法であって、
前記各エスカレータ対の設置部周辺に、前記エスカレータ対の傾斜方向と交差する状態に新設の第三エスカレータを設け、前記第一エスカレータ又は第二エスカレータの何れか一方と、前記第三エスカレータとで昇降自在な仮のエスカレータ対を構成すると共に、前記第一エスカレータ又は第二エスカレータの他方を第四エスカレータとして改修し、その第四エスカレータが完成したら、前記第三エスカレータと第四エスカレータとで新たなエスカレータ対を構成するように運転を切り替え、前記第一エスカレータ又は第二エスカレータの一方を撤去するエスカレータ改修方法。
【請求項２】
上下階にわたって互いに平行に設けられた昇り用第一エスカレータと降り用第二エスカレータとからなるエスカレータ対が、それぞれの上下階に平行に配置されており、それぞれの階層のエスカレータ設置部周辺を、下方からの昇り用第一エスカレータの降り口から上方への昇り用第一エスカレータの乗り口にわたる迂回路、又は、上方からの降り用第二エスカレータの降り口から下方への降り用第二エスカレータの乗り口にわたる迂回路として使用できるように構成されている平行型エスカレータを改修するエスカレータ改修方法であって、
上下階の前記迂回路にわたって、前記エスカレータ対の傾斜方向と交差する状態に新設の第三エスカレータを設け、前記第一エスカレータ又は第二エスカレータの何れか一方と、前記第三エスカレータとで昇降自在な仮のエスカレータ対を構成すると共に、前記第一エスカレータ又は第二エスカレータの他方を第四エスカレータとして改修し、その第四エスカレータが完成したら、前記第三エスカレータと第四エスカレータとで新たなエスカレータ対を構成するように運転を切り替え、前記第一エスカレータ又は第二エスカレータの一方を撤去するエスカレータ改修方法。
【請求項３】
前記第四エスカレータは、第三エスカレータの傾斜方向と交差する状態に設置する請求項１又は２に記載のエスカレータ改修方法。
【発明の詳細な説明】
【技術分野】
【０００１】
本発明は、例えば、老朽化等の理由でエスカレータを新しいものに架け替えるといったエスカレータ改修方法に関し、更に詳しくは、上下階にわたって互いに平行に設けられた昇り用第一エスカレータと降り用第二エスカレータとからなるエスカレータ対が、それぞれの上下階に平行に配置されている平行型エスカレータを改修するエスカレータ改修方法に関する。
【背景技術】
【０００２】
従来、エスカレータの配置には、隣り合う昇り用エスカレータと降り用エスカレータとの配置が、平行配置となるものや交差配置となるものがあり、本発明の対象となる前者の平行型のものは、図１に示すように、下方から昇り用エスカレータｅ１で昇ってきて、その降り口２から、上方への昇り用エスカレータｅ１の乗り口３を経由して更に上階へ昇る場合や、その逆方向の動きをする場合、必ずその階層のフロア上を歩いて戻る方向へ迂回する必要があり、人の動線をその階層に向けることができ、例えば、各階層毎に店舗を備えた商業施設等における集客作用を期待することが可能となる。
そして、このようなエスカレータを改修するのに、エスカレータ設置部周辺にスペースが充分あれば、そのスペースにエスカレータを新設して、旧エスカレータを撤去する方法が考えられるが、一般的には、新しいエスカレータ設置用スペースを別に確保することは困難な場合が多い。
従って、従来のエスカレータ改修方法としては、使用中のエスカレータの全て（又は、昇り用か降り用の何れか一方）を、改修期間中閉鎖した状態で旧いものを新しいものに架け替える改修工事を進め、その改修期間中は、閉鎖したエスカレータの替わりとして、利用者に、例えば、階段を使用してもらったり、エレベータを利用してもらう方法を採っていた（例えば、特許文献１、特許文献２参照）。
【０００３】
【特許文献１】特開平８−１５１１８２号公報
【特許文献２】特開昭６３−３１０４９１号公報
【発明の開示】
【発明が解決しようとする課題】
【０００４】
上述した従来のエスカレータ改修方法によれば、エスカレータ改修期間中、利用者は階段やエレベータ（又は運転中の一部のエスカレータ）を使用しなければならなくなり、利用者の利便性が大きく損なわれる問題点がある。
利用者が不便を感じると、寄りつき難くなって該当建物の利用率も低下し易くなる危険性がある。
【０００５】
従って、本発明の目的は、上記問題点を解消し、利用者の利便性を確保した状態でエスカレータの改修を実施できるエスカレータ改修方法を提供するところにある。
【課題を解決するための手段】
【０００６】
本発明の第１の特徴構成は、上下階にわたって互いに平行に設けられた昇り用第一エスカレータと降り用第二エスカレータとからなるエスカレータ対が、それぞれの上下階に平行に配置されている平行型エスカレータを改修するエスカレータ改修方法において、前記各エスカレータ対の設置部周辺に、前記エスカレータ対の傾斜方向と交差する状態に新設の第三エスカレータを設け、前記第一エスカレータ又は第二エスカレータの何れか一方と、前記第三エスカレータとで昇降自在な仮のエスカレータ対を構成すると共に、前記第一エスカレータ又は第二エスカレータの他方を第四エスカレータとして改修し、その第四エスカレータが完成したら、前記第三エスカレータと第四エスカレータとで新たなエスカレータ対を構成するように運転を切り替え、前記第一エスカレータ又は第二エスカレータの一方を撤去するところにある。
【０００７】
本発明の第１の特徴構成によれば、第一，第二エスカレータの設置部周辺に新設する第三エスカレータと、第一，第二エスカレータの何れか一方のエスカレータの設置部分に架け替える第四エスカレータとで、昇降自在な新たなエスカレータ対を形成することができ、しかも、一連のエスカレータ改修期間中を通じて、昇りエスカレータも降りエスカレータも何れかの位置で運転させることができ、利用者の利便性の確保が実現する。
また、基の前記平行型エスカレータ対の領域に第三エスカレータ領域を加えて三つ分のエスカレータ領域を改修期間中に限って確保するだけで一連の改修工事を実施することができ、余分なスペースが確保し難い現場でも比較的容易に改修工事を進行させることが可能となる。即ち、当該改修対象の平行型エスカレータにおいては、もともとエスカレータ設置部周辺には乗り継ぎのための迂回路スペースは確保されているから、そのスペースを利用して一つのエスカレータ領域を設けることが可能となる。
そして、新設する第三エスカレータは、前記平行型エスカレータ対の傾斜方向と交差する状態に設けるから、前記平行型エスカレータ対の何れか一方のエスカレータと、前記第三エスカレータとで構成される仮のエスカレータ対は、昇り用と降り用とが交差する状態に使用することができ、エスカレータの乗り継ぎ時に迂回路が無くても支障なく乗り継ぐことができる交差型エスカレータの運転形式を採用することができる。即ち、余分なスペースのない現場においても昇降自在にエスカレータを構成することができ、利用者の利便性の確保を図ることが可能となる。
以上の各作用効果を、改修工事の順を追って説明する。
まず、改修の第一段階においては、今まで通り、第一エスカレータを昇り用とし、第二エスカレータを降り用として運転して、利用者の足を確保しながら、第三エスカレータを新設することができる。
また、改修の第二段階においては、前記第一エスカレータ又は第二エスカレータの何れか一方と、新設した前記第三エスカレータとで昇降自在な仮のエスカレータ対を構成すると共に、前記第一エスカレータ又は第二エスカレータの他方を第四エスカレータに架け替える改修作業を進めるから、前記仮のエスカレータ対によって昇り用と降り用とのエスカレータを各別に確保しながら、第四エスカレータを設けることができる。
そして、改修の第三段階においては、前記第三エスカレータと、架け替えられた第四エスカレータとで新たなエスカレータ対を構成するように運転を切り替え、残った前記第一エスカレータ又は第二エスカレータの一方を撤去するから、この最終段階においても、当然の事ながら、新たなエスカレータ対によって昇り用と降り用との両方のエスカレータを確保することができる。
また、前記第一エスカレータ又は第二エスカレータの一方を撤去した撤去跡は、床を張ってエスカレータ乗り継ぎ時の迂回路や、フロアーとして利用したり、吹き抜けとして利用したり、様々な用途に利用することができる。
【０００８】
本発明の第２の特徴構成は、上下階にわたって互いに平行に設けられた昇り用第一エスカレータと降り用第二エスカレータとからなるエスカレータ対が、それぞれの上下階に平行に配置されており、それぞれの階層のエスカレータ設置部周辺を、下方からの昇り用第一エスカレータの降り口から上方への昇り用第一エスカレータの乗り口にわたる迂回路、又は、上方からの降り用第二エスカレータの降り口から下方への降り用第二エスカレータの乗り口にわたる迂回路として使用できるように構成されている平行型エスカレータを改修するエスカレータ改修方法において、上下階の前記迂回路にわたって、前記エスカレータ対の傾斜方向と交差する状態に新設の第三エスカレータを設け、前記第一エスカレータ又は第二エスカレータの何れか一方と、前記第三エスカレータとで昇降自在な仮のエスカレータ対を構成すると共に、前記第一エスカレータ又は第二エスカレータの他方を第四エスカレータとして改修し、その第四エスカレータが完成したら、前記第三エスカレータと第四エスカレータとで新たなエスカレータ対を構成するように運転を切り替え、前記第一エスカレータ又は第二エスカレータの一方を撤去するところにある。
【０００９】
本発明の第２の特徴構成によれば、第一，第二エスカレータの周辺の前記迂回路に新設する第三エスカレータと、第一，第二エスカレータの何れか一方のエスカレータの設置部周辺に架け替える第四エスカレータとで、昇降自在な新たなエスカレータ対を形成することができ、しかも、一連のエスカレータ改修期間中を通じて、昇りエスカレータも降りエスカレータも何れかの位置で運転させることができ、利用者の利便性の確保が実現する。
また、前記平行型エスカレータ対の領域に第三エスカレータ領域を加えて三つ分のエスカレータ領域を改修期間中に限って確保するだけで一連の改修工事を実施することができ、余分なスペースが確保し難い現場でも比較的容易に改修工事を進行させることが可能となる。即ち、前記平行型エスカレータの設置部周辺に配置されている迂回路を、新設の第三エスカレータの設置スペースとして有効に利用でき、別に新たなエスカレータ領域を確保せずに改修工事を実施することが可能となる。
そして、新設する第三エスカレータは、前記平行型エスカレータ対の傾斜方向と交差する状態に設けるから、前記平行型エスカレータ対の何れか一方のエスカレータと、前記第三エスカレータとで構成される仮のエスカレータ対は、昇り用と降り用とが交差する状態に使用することができ、エスカレータの乗り継ぎ時に迂回路が無くても支障なく乗り継ぐことができる交差型エスカレータの運転形式を採用することができる。即ち、余分なスペースのない現場においても昇降自在にエスカレータを構成することができ、利用者の利便性の確保を図ることが可能となる。
以上の各作用効果を、改修工事の順を追って説明する。
まず、改修の第一段階においては、今まで通り、第一エスカレータを昇り用とし、第二エスカレータを降り用として運転して、利用者の足を確保しながら、第三エスカレータを新設することができる。
また、改修の第二段階においては、前記第一エスカレータ又は第二エスカレータの何れか一方と、新設した前記第三エスカレータとで昇降自在な仮のエスカレータ対を構成すると共に、前記第一エスカレータ又は第二エスカレータの他方を第四エスカレータに架け替える改修作業を進めるから、前記仮のエスカレータ対によって昇り用と降り用とのエスカレータを各別に確保しながら、第四エスカレータを設けることができる。
そして、改修の第三段階においては、前記第三エスカレータと、架け替えられた第四エスカレータとで新たなエスカレータ対を構成するように運転を切り替え、残った前記第一エスカレータ又は第二エスカレータの一方を撤去するから、この最終段階においても、当然の事ながら、新たなエスカレータ対によって昇り用と降り用との両方のエスカレータを確保することができる。
また、前記第一エスカレータ又は第二エスカレータの一方を撤去した撤去跡は、床を張ってエスカレータ乗り継ぎ時の迂回路や、フロアーとして利用したり、吹き抜けとして利用したり、様々な用途に利用することができる。
【００１０】
本発明の第３の特徴構成は、前記第四エスカレータは、第三エスカレータの傾斜方向と交差する状態に設置するところにある。
【００１１】
本発明の第３の特徴構成によれば、本発明の第１又は２の特徴構成による上述の作用効果を叶えることができるのに加えて、前記第四エスカレータを、第三エスカレータの傾斜方向と交差する状態に設置するから、改修された新たなエスカレータ対は、昇り用と降り用とが交差する状態に使用することができる。
従って、下方からの昇り用エスカレータの降り口の横に上方への昇り用エスカレータの乗り口が位置すると共に、上方からの降り用エスカレータの降り口の横に下方への降り用エスカレータの乗り口が位置するような運転形式の交差型エスカレータとして使用できるようになり、従来の平行型エスカレータに必須であった迂回路を無くすることが可能となる。その結果、最終的に撤去する前記第一エスカレータ又は第二エスカレータの撤去跡は、必ずしも迂回路として使用することに限らず、床を張って余裕のスペース（観葉植物や美術品を飾れたり、各種自動販売機を置いたりできるスペース）に構成したり、吹き抜けとして利用して上下階の見通しや視認性を高めたり、新たに階段を設けたり、様々な用途に利用することができるようになる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１は、本発明のエスカレータ改修方法を実施する前の状態のエスカレータ設置部の近傍を示すもので、図２は、エスカレータ改修方法を実施した後のエスカレータ設置部の近傍を示すものである。
また、当該建物は、図３に示すように、各階毎に複数の店舗Ｓが並設され、各店舗Ｓに面して形成された一連の廊下Ｌは、その一端が平面図におけるエスカレータｅの一端部に通じ、その他端がエスカレータｅの他端部に通じる。従って、改修前のエスカレータ装置Ｅにおいては、エスカレータｅの降り口２から、前記廊下Ｌを一巡すれば、次のエスカレータの乗り口３に到達する。
【００１４】
改修前のエスカレータ装置Ｅは、図１、図３に示すように、上下階にわたって横に平行に並べられた昇り用第一エスカレータｅ１と降り用第二エスカレータｅ２とからなるエスカレータ対１の複数を備えて構成してあり、これら各エスカレータ対１は、それぞれの階層毎に上下に間隔をあけて平行に配置されている。所謂「平行型エスカレータ装置」である。
そして、それぞれの階層のエスカレータ設置部周辺部には、エスカレータ乗り継ぎ用の迂回路４が設けられている（図３参照）。従って、下方からの昇り用第一エスカレータｅ１の降り口２から、上方への昇り用第一エスカレータｅ１の乗り口３に乗り継ぐ時や、上方からの降り用第二エスカレータｅ２の降り口２から下方への降り用第二エスカレータｅ２の乗り口３に乗り継ぐ時には、前記廊下Ｌを通行するのに比べて、この迂回路４を通行することで迅速に移動することができる。
【００１５】
また、改修後のエスカレータ装置Ｅは、図２に示すように、改修前の前記上下階迂回路４にわたって前記エスカレータ対１の傾斜方向と交差する状態に新設された第三エスカレータｅ３と、前記第一エスカレータｅ１の撤去跡に新たに架け替えた第四エスカレータｅ４とからなる新たなエスカレータ対６の複数を備えて構成してあり、これら新たなエスカレータ対６は、それぞれの階層毎に上下に間隔をあけて平行に配置されている。所謂「交差型エスカレータ装置」である。そして、第二エスカレータｅ２の撤去跡は、閉塞して通常のフロアとして使用されている。
【００１６】
次に、改修方法について順を追って説明する。
［１］  迂回路４に第三エスカレータｅ３を新設する（図４、図５参照）。
［２］  完成した第三エスカレータｅ３と、第二エスカレータｅ２とで昇降自在な仮のエスカレータ対５を構成する。
具体的には、同一階における第二エスカレータｅ２と第三エスカレータｅ３とは、何れか一方が昇り用として駆動させれば、他方は、降り用として駆動させる。そして、上下に隣接する第二エスカレータｅ２どうし、及び、上下に隣接する第三エスカレータｅ３どうしは、何れか一方が昇り用として駆動させれば、他方は、降り用として駆動させる。所謂「交差型エスカレータ装置」である。従って、各エスカレータｅともに、降り口２に隣接して次のエスカレータｅの乗り口３が位置することになる。
［３］  前記［２］に並行して、第一エスカレータｅ１を撤去して、その跡に、第一エスカレータｅ１と同様の傾斜で新たな第四エスカレータｅ４を架け替える（図６、図７参照）。
従って、第四エスカレータｅ４は、第三エスカレータｅ３の傾斜方向と交差する状態に設けられている。
［４］  第四エスカレータｅ４が完成したら、図７に示すように、前記第三エスカレータｅ３と第四エスカレータｅ４とで新たなエスカレータ対６を構成するように運転を切り替える。
具体的には、同一階における第三エスカレータｅ３と第四エスカレータｅ４とは、何れか一方が昇り用として駆動させれば、他方は、降り用として駆動させる。そして、上下に隣接する第三エスカレータｅ３どうし、及び、上下に隣接する第四エスカレータｅ４どうしは、何れか一方が昇り用として駆動させれば、他方は、降り用として駆動させる。所謂「交差型エスカレータ装置」である。
［５］  第二エスカレータｅ２を撤去する。
【００１７】
本実施形態のエスカレータ改修方法によれば、一連のエスカレータ改修期間中を通じて、昇りエスカレータも降りエスカレータも何れかの位置で運転させることができ、利用者の利便性の確保が実現する。
また、迂回路を利用して、より少ない占有スペースによって工事を進めることが可能となり、改修工事による建物内での人の動線環境の悪化を最小限に止めることができるようになる。
更には、「平行型エスカレータ」を「交差型エスカレータ」にスムースに改修することが可能となる。
【００１８】
〔別実施形態〕
以下に他の実施の形態を説明する。
【００１９】
〈１〉  当該エスカレータ改修方法は、先の実施形態で説明した店舗建物のエスカレータ装置のみを対象とするものではなく、例えば、オフィスビルや学校や病院、ホテル等、あらゆる建物に設けられたエスカレータ装置をも対象とすることが可能である。
〈２〉  前記第四エスカレータｅ４は、先の実施形態で説明したように、第三エスカレータｅ３の傾斜方向と交差する状態に設けることに限るものではなく、例えば、第三エスカレータｅ３の傾斜と同じように傾斜する状態に設けるものであってもよい。所謂「平行型エスカレータ」である。この場合の、各エスカレータｅの運転は、同一階に設けられたエスカレータｅの一方が昇り用で、他方が降り用となるように運転される。
また、先の実施形態のように、所謂「交差型エスカレータ」となる配置で第三エスカレータｅ３と第四エスカレータｅ４とを設けた場合でも、その運転に関しては、先の実施形態のように行うことに限るものではない。即ち、同一階における第三エスカレータｅ３と第四エスカレータｅ４とは、何れか一方が昇り用として駆動させ、他方は、降り用として駆動させ、且つ、上下に隣接するエスカレータｅどうしは同じ方向に駆動させるものであってもよい。
【００２０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２１】
【図１】改修前のエスカレータ装置を示す斜視図
【図２】改修後のエスカレータ装置を示す斜視図
【図３】改修前のエスカレータ装置の設置状況を示す建物要部平面図
【図４】改修状況を示す建物要部平面図
【図５】エスカレータ配置状況を示す斜視図
【図６】改修状況を示す建物要部平面図
【図７】エスカレータ配置状況を示す斜視図
【符号の説明】
【００２２】
１      エスカレータ対
２      降り口
３      乗り口
４      迂回路
５      仮のエスカレータ対
６      新たなエスカレータ対
ｅ１    昇り用第一エスカレータ
ｅ２    降り用第二エスカレータ
ｅ３    第三エスカレータ
ｅ４    第四エスカレータ
【図１】
0004764106.tif 000002
【図２】
0004764106.tif 000003
【図３】
0004764106.tif 000004
【図４】
0004764106.tif 000005
【図５】
0004764106.tif 000006
【図６】
0004764106.tif 000007
【図７】
0004764106.tif 000008